(57)【特許請求の範囲】
【請求項１】
少なくとも二つの電池パックを備えた携帯電話機において、
一方の電池パックから通信系の電源系統に電圧を供給する第一の電源制御手段と、他方の電池パックから非通信系の電源系統に電圧を供給する第二の電源制御手段と、前記一方の電池パック及び前記他方の電池パックの電圧を検出し、前記一方の電池パックの検出電圧が第一の設定値より低い場合、前記通信系の電源系統及び前記非通信系の電源系統をオフにする制御を行い、前記他方の電池パックの検出電圧が第二の設定値より低い場合、前記非通信系の電源系統をオフにする制御を行う電源監視制御手段とを具備することを特徴とする携帯電話機。
【請求項２】
前記電源監視制御手段により前記一方の電池パックの検出電圧が前記第一の設定値より低いと判定された場合、前記一方の電池パックの電池容量が不足している旨を報知し、前記電源監視制御手段により前記他方の電池パックの検出電圧が前記第二の設定値より低いと判定された場合、前記他方の電池パックの電池容量が不足している旨を報知する報知手段を具備することを特徴とする請求項１に記載の携帯電話機。
【請求項３】
前記通信系の電源系統とは、通信系デバイスに電源供給を行う系統であり、前記非通信系の電源系統とは、非通信系アプリケーションデバイスに電源供給を行う系統であることを特徴とする請求項１に記載の携帯電話機。
【請求項４】
少なくとも二つの電池パックを備えた携帯電話機において、
一方の電池パックから通信系の電源系統に電圧を供給する第一の電源制御手段と、他方の電池パックから非通信系の電源系統に電圧を供給する第二の電源制御手段と、前記一方の電池パックと前記他方の電池パックを共通化し共通の電源系統に電圧を供給する第三の電源制御手段と、前記一方の電池パック及び前記他方の電池パックの電圧を検出し、前記一方の電池パックの検出電圧が第一の設定値より低く、且つ前記他方の電池パックの検出電圧が第二の設定値より低い場合、前記通信系の電源系統、前記非通信系の電源系統、前記共通の電源系統をオフにする制御を行い、前記一方の電池パックの検出電圧が前記第一の設定値より低い場合、前記通信系の電源系統をオフにする制御を行い、前記他方の電池パックの検出電圧が前記第二の設定値より低い場合、前記非通信系の電源系統をオフにする制御を行い、前記一方の電池パックの検出電圧が前記第一の設定値より高い場合、又は前記他方の電池パックの検出電圧が前記第二の設定値より高い場合、前記共通の電源系統をオンのままにしておく制御を行う電源監視制御手段とを具備することを特徴とする携帯電話機。
【請求項５】
前記電源監視制御手段により前記一方の電池パックの検出電圧が前記第一の設定値より低く、且つ前記他方の電池パックの検出電圧が前記第二の設定値より低いと判定された場合、前記一方の電池パック及び前記他方の電池パックの電池容量が不足している旨を報知し、前記電源監視制御手段により前記一方の電池パックの検出電圧が前記第一の設定値より低い場合、前記一方の電池パック又は前記他方の電池パックの電池容量が不足している旨を報知し、前記他方の電池パックの検出電圧が前記第二の設定値より低いと判定された場合、前記他方の電池パックの電池容量が不足している旨を報知する報知手段を具備することを特徴とする請求項４に記載の携帯電話機。
【請求項６】
前記通信系の電源系統とは、通信系デバイスに電源供給を行う系統であり、前記非通信系の電源系統とは、非通信系アプリケーションデバイスに電源供給を行う系統であり、前記共通の電源系統とは、前記電源監視制御手段、入力デバイス、出力デバイス、記憶デバイスを含む共通デバイスに電源供給を行う系統であることを特徴とする請求項４に記載の携帯電話機。
【請求項７】
少なくとも二つの電池パックを備えた携帯電話機の電源制御方法において、
一方の電池パックから通信系の電源系統に電圧を供給し、他方の電池パックから非通信系の電源系統に電圧を供給し、前記一方の電池パック及び前記他方の電池パックの電圧を検出し、前記一方の電池パックの検出電圧が第一の設定値より低い場合、前記通信系の電源系統及び前記非通信系の電源系統をオフにする制御を行い、前記他方の電池パックの検出電圧が第二の設定値より低い場合、前記非通信系の電源系統をオフにする制御を行うことを特徴とする電源制御方法。
【請求項８】
前記電源監視制御手段により前記一方の電池パックの検出電圧が前記第一の設定値より低いと判定された場合、前記一方の電池パックの電池容量が不足している旨を報知し、前記電源監視制御手段により前記他方の電池パックの検出電圧が前記第二の設定値より低いと判定された場合、前記他方の電池パックの電池容量が不足している旨を報知することを特徴とする請求項７に記載の電源制御方法。
【請求項９】
前記通信系の電源系統とは、通信系デバイスに電源供給を行う系統であり、前記非通信系の電源系統とは、非通信系アプリケーションデバイスに電源供給を行う系統であることを特徴とする請求項７に記載の電源制御方法。
【請求項１０】
少なくとも二つの電池パックを備えた携帯電話機の電源制御方法において、
一方の電池パックから通信系の電源系統に電圧を供給し、他方の電池パックから非通信系の電源系統に電圧を供給し、前記一方の電池パックと前記他方の電池パックを共通化して共通の電源系統に電圧を供給し、前記一方の電池パック及び前記他方の電池パックの電圧を検出し、前記一方の電池パックの検出電圧が第一の設定値より低く、且つ前記他方の電池パックの検出電圧が第二の設定値より低い場合、前記通信系の電源系統、前記非通信系の電源系統、前記共通の電源系統をオフにする制御を行い、前記一方の電池パックの検出電圧が前記第一の設定値より低い場合、前記通信系の電源系統をオフにする制御を行い、前記他方の電池パックの検出電圧が前記第二の設定値より低い場合、前記非通信系の電源系統をオフにする制御を行い、前記一方の電池パックの検出電圧が前記第一の設定値より高い場合、又は前記他方の電池パックの検出電圧が前記第二の設定値より高い場合、前記共通の電源系統をオンのままにしておく制御を行うことを特徴とする電源制御方法。
【請求項１１】
前記電源監視制御手段により前記一方の電池パックの検出電圧が前記第一の設定値より低く、且つ前記他方の電池パックの検出電圧が前記第二の設定値より低いと判定された場合、前記一方の電池パック及び前記他方の電池パックの電池容量が不足している旨を報知し、前記電源監視制御手段により前記一方の電池パックの検出電圧が前記第一の設定値より低い場合、前記一方の電池パック又は前記他方の電池パックの電池容量が不足している旨を報知し、前記他方の電池パックの検出電圧が前記第二の設定値より低いと判定された場合、前記他方の電池パックの電池容量が不足している旨を報知する、ことを特徴とする請求項１０に記載の電源制御方法。
【請求項１２】
前記通信系の電源系統とは、通信系デバイスに電源供給を行う系統であり、前記非通信系の電源系統とは、非通信系アプリケーションデバイスに電源供給を行う系統であり、前記共通の電源系統とは、前記電源監視制御手段、入力デバイス、出力デバイス、記憶デバイスを含む共通デバイスに電源供給を行う系統であることを特徴とする請求項１０に記載の電源制御方法。
【発明の詳細な説明】
【０００１】
【発明の属する技術分野】
本発明は、携帯電話機及び電源制御方法に関し、特に、メインの電池パック及びサブの電池パックの２系統の電池パックを備えた携帯電話機及び電源制御方法に関する。
【０００２】
【従来の技術】
今日、携帯電話機においては、音楽再生や、ゲーム、画像処理といった電話機能以外の各種機能が追加されるようになってきている。電話機能以外の各種機能の追加に伴い、携帯電話機全体の消費電流に対する前記のような各種機能の動作に必要な消費電流の割合が多くなりつつある。それに対して、携帯電話機に搭載される電池は、以前に比べ、体積あたりの容量は多くなっているものの、上述したように、電話機能を始めとする各種機能を有する携帯電話機における消費電流は増加する傾向にある。
【０００３】
図６は従来例の携帯電話機の構成を示すブロック図である。携帯電話機６１は、アンテナ６２、無線送受信部６３、ベースバンド処理部６４、送話器／受話器６５、通信系制御部６６、非通信系の制御部６７、非通信系アプリケーション６８、データ入力部６９、表示部７０、メモリ７１、スピーカ７２、電源回路７４、電池パック７６を具備している。図中破線で囲んだブロック内は共通の電源系である。図６の従来例は、単一の電池パックから電源回路７４を介して各デバイスに電源を供給する例であるが、下記のように複数の電池を搭載したものもある。
【０００４】
携帯電話機に搭載する電池に関する従来例としては、例えば特開２０００−１６５５１４号公報に記載の技術が提案されている。同公報には、電池パックの電池残量が減少し該電池パックを交換する際、電源供給を、前記電池パックから、装置本体に内蔵する予備電池に切り替え、電池パック交換終了後、電源供給を、前記予備電池から前記電池パックに切り替える手段を備えたことを特徴とする携帯電話端末装置が開示されている。
【０００５】
また、他の従来例としては、例えば特開平６−２９８９８号公報に記載の技術が提案されている。同公報には、バッテリパック内に主電池と、その予備の副電池を有し、前記主電池から前記副電池に切り替える切替手段と、前記副電池に切り替わったときにユーザに知らせる為の表示手段と、アラーム音を発生するアラーム音発生手段とを有し、通話中に前記主電池の予め定められた出力が無くなってしまったとき前記切替手段により前記副電池に切り替わり、このことを前記表示手段または前記アラーム音発生手段によってユーザに知らせることを特徴とする携帯電話機が開示されている。
【０００６】
【発明が解決しようとする課題】
しかしながら、上述した従来例においては次のような問題点があった。
【０００７】
上述したように、携帯電話機に搭載される電池は、以前に比べ、体積あたりの容量は多くなっているものの、電話機能を始めとする各種機能を有する携帯電話機での消費電流は増加する傾向にある。そのため、単一の電池パックだと、消費電流の増加に伴い電池容量が不足してしまう場合があり、その結果、全機能が停止するという問題があった。
【０００８】
本発明の目的は、一方の電池パックの電池容量が不足した場合でも、携帯電話機の全ての機能を停止させることなく、一部の機能は動作させることなどを可能とした携帯電話機及び電源制御方法を提供するものである。
【０００９】
【課題を解決するための手段】
本発明は、少なくとも二つの電池パックを備えた携帯電話機において、一方の電池パックから通信系の電源系統に電圧を供給する第一の電源制御手段と、他方の電池パックから非通信系の電源系統に電圧を供給する第二の電源制御手段と、前記一方の電池パック及び前記他方の電池パックの電圧を検出し、前記一方の電池パックの検出電圧が予め設定された値より低い場合、前記通信系の電源系統及び前記非通信系の電源系統をオフにする制御を行い、前記他方の電池パックの検出電圧が予め設定された値より低い場合、前記非通信系の電源系統をオフにする制御を行う電源監視制御手段とを具備することを特徴とする。
【００１０】
また、本発明は、少なくとも二つの電池パックを備えた携帯電話機において、一方の電池パックから通信系の電源系統に電圧を供給する第一の電源制御手段と、他方の電池パックから非通信系の電源系統に電圧を供給する第二の電源制御手段と、前記一方の電池パックと前記他方の電池パックを共通化し共通の電源系統に電圧を供給する第三の電源制御手段と、前記一方の電池パック及び前記他方の電池パックの電圧を検出し、前記一方の電池パックの検出電圧が第一の設定値より低く、且つ前記他方の電池パックの検出電圧が第二の設定値より低い場合、前記通信系の電源系統、前記非通信系の電源系統、前記共通の電源系統をオフにする制御を行い、前記一方の電池パックの検出電圧が前記第一の設定値より低い場合、前記通信系の電源系統をオフにする制御を行い、前記他方の電池パックの検出電圧が前記第二の設定値より低い場合、前記非通信系の電源系統をオフにする制御を行い、前記一方の電池パックの検出電圧が前記第一の設定値より高い場合、又は前記他方の電池パックの検出電圧が前記第二の設定値より高い場合、前記共通の電源系統をオンのままにしておく制御を行う電源監視制御手段とを具備することを特徴とする。
【００１１】
また、本発明は、少なくとも二つの電池パックを備えた携帯電話機の電源制御方法において、一方の電池パックから通信系の電源系統に電圧を供給し、他方の電池パックから非通信系の電源系統に電圧を供給し、前記一方の電池パック及び前記他方の電池パックの電圧を検出し、前記一方の電池パックの検出電圧が第一の設定値より低い場合、前記通信系の電源系統及び前記非通信系の電源系統をオフにする制御を行い、前記他方の電池パックの検出電圧が第二の設定値より低い場合、前記非通信系の電源系統をオフにする制御を行うことを特徴とする。
【００１２】
また、本発明は、少なくとも二つの電池パックを備えた携帯電話機の電源制御方法において、一方の電池パックから通信系の電源系統に電圧を供給し、他方の電池パックから非通信系の電源系統に電圧を供給し、前記一方の電池パックと前記他方の電池パックを共通化して共通の電源系統に電圧を供給し、前記一方の電池パック及び前記他方の電池パックの電圧を検出し、前記一方の電池パックの検出電圧が第一の設定値より低く、且つ前記他方の電池パックの検出電圧が第二の設定値より低い場合、前記通信系の電源系統、前記非通信系の電源系統、前記共通の電源系統をオフにする制御を行い、前記一方の電池パックの検出電圧が前記第一の設定値より低い場合、前記通信系の電源系統をオフにする制御を行い、前記他方の電池パックの検出電圧が前記第二の設定値より低い場合、前記非通信系の電源系統をオフにする制御を行い、前記一方の電池パックの検出電圧が前記第一の設定値より高い場合、又は前記他方の電池パックの検出電圧が前記第二の設定値より高い場合、前記共通の電源系統をオンのままにしておく制御を行うことを特徴とする。
【００１３】
また、本発明の携帯電話機は、図１を参照しつつ説明すれば、少なくとも二つの電池パックを備えた携帯電話機において、一方の電池パック（１６）から通信系の電源系統に電圧を供給する第一の電源制御手段（１４）と、他方の電池パック（１７）から非通信系の電源系統に電圧を供給する第二の電源制御手段（１５）と、前記一方の電池パック及び前記他方の電池パックの電圧を検出し、前記一方の電池パックの検出電圧が予め設定された値より低い場合、前記通信系の電源系統及び前記非通信系の電源系統をオフにする制御を行い、前記他方の電池パックの検出電圧が予め設定された値より低い場合、前記非通信系の電源系統をオフにする制御を行う電源監視制御手段（１３）とを具備するものである。
【００１４】
【発明の実施の形態】
［第１実施形態］
次に、本発明の第１実施形態について図面を参照して詳細に説明する。
【００１５】
（１）構成の説明
図１は本発明の第１実施形態の携帯電話機の構成を示すブロック図である。携帯電話機１は、アンテナ２、無線送受信部３、ベースバンド処理部４、送話器／受話器５、通信系制御部６、非通信系の制御部７、非通信系アプリケーション８、データ入力部９、表示部１０、メモリ１１、スピーカ１２、電源監視制御手段１３、メインの電源回路１４、サブの電源回路１５、メインの電池パック１６、サブの電池パック１７を具備している。図中、符号２１で示すブロック内は通信系デバイスの電源系、符号２２で示すブロック内は非通信系デバイスの電源系である。
【００１６】
アンテナ２は、音声データ、通信データを送受信する。無線送受信部３は、アンテナ２を介して音声データまたは通信データの送受信を行う。ベースバンド処理部４は、音声データの処理を行う。送話器／受話器５は、電話通信時の送話／受話に用いる。通信系制御部６は、通信系の制御を行う。非通信系の制御部７は、非通信系の制御を行う。非通信系アプリケーション８は、非通信系の制御部７によって動作する音楽再生やゲームなどのアプリケーションである。データ入力部９は、キー入力などによる電話番号等のデータ入力に用いる。表示部１０は、例えばＬＣＤから構成され、各種画面の表示を行う。
【００１７】
メモリ１１は、電話番号等のデータを記憶する。スピーカ１２は、着信音などを鳴動させる。電源監視制御手段１３は、メインの電源回路１４及びサブの電源回路１５の電源の管理を行う。メインの電源回路１４は、メインの電池パック１６から主に通信系のデバイスに電圧を供給する。サブの電源回路１５は、サブの電池パック１７から主に非通信系のデバイスに電源を供給する。電源系については、通信系のデバイスの電源系２１と、非通信系のデバイスの電源系２２に分割されている。
【００１８】
ここで、本発明の第１実施形態と従来例との相異点を説明すると、上記図６に示した従来例の携帯電話機では、単一の電池パックから電源回路を介して各デバイスに電源を供給していた。
【００１９】
これに対し、本発明の第１実施形態の携帯電話機では、電池パックとして、通信機能用の電池パック１６と、非通信機能用の電池パック１７の２つを搭載し、各電池パック１６、１７からの電源供給系統を２ラインにして、一方の電源ラインからは、従来と同様に携帯電話機の通話機能のデバイスへ電源供給を行い、他方の電源ラインからは、音楽再生やゲームなどの非通信系アプリケーションデバイスへの電源供給を行うものである。即ち、携帯電話機の通話機能のデバイスへの電源をメインの電池とすることで、通話機能以外の機能を使用していた場合にサブの電池が不足した際にも、通話できることを特徴としている。
【００２０】
図２は本発明の第１実施形態の携帯電話機の電源監視制御手段１３を中心とした構成を示すブロック図である。電源監視制御手段１３は、メインの電池電圧管理手段１３１、サブの電池電圧管理手段１３２、電池状態判定手段１３３を具備している。
【００２１】
メインの電池電圧管理手段１３１及びサブの電池電圧管理手段１３２は、それぞれ周期毎に、メインの電池パック１６、サブの電池パック１７の電池電圧をモニタし、ＡＤ変換により測定する。メインの電池電圧管理手段１３１及びサブの電池電圧管理手段１３２により測定された、メインの電池パック１６、サブの電池パック１７のそれぞれの電池電圧が、電池状態判定手段１３３により、それぞれ予め設定されている電池電圧の第一の設定値（電圧値のデータ）、第二の設定値（電圧値のデータ）を下回っているか否かを判定する。
【００２２】
電池状態判定手段１３３は、メインの電池パック１６の電池電圧またはサブの電池パック１７の電池電圧が、第一の設定値または第二の設定値を下回っていると判定した場合、通信系の制御部６または非通信系の制御部７に対してその旨を通知する。また、この場合、電池状態判定手段１３３は、メインの電源回路１４またはサブの電源回路１５に電源制御の信号を転送する。
【００２３】
（２）動作の説明
次に、本発明の第１実施形態の動作について図１〜図３を参照して詳細に説明する。
【００２４】
例えば、メインの電池パック１６の電圧が高い場合において、メインの電池電圧管理手段１３１、サブの電池電圧管理手段１３２により、メインの電池パック１６とサブの電池パック１７のそれぞれの電池電圧検出が行われると（ステップＡ１）、まず、メインの電池電圧管理手段１３１により、メインの電池パック１６の電圧検出データが、予め設定された第一の設定値（電圧値のデータ）と比較される（ステップＡ２）。このとき、メインの電池パック１６の電圧検出とサブの電池パック１７の電圧検出は、必ずしも同時に行われる必要は無い。
【００２５】
メインの電池パック１６の電圧検出データが、予め設定された第一の設定値（電圧値のデータ）よりも低い場合、電池状態判定手段１３３は、通信系制御部６及び非通信系の制御部７にその旨を通知し、メインの電池パック１３の電池容量が不足している旨を表示部１０に表示する（ステップＡ３）。また、メインの電池電圧管理手段１３１、サブの電池電圧管理手段１３２は、それぞれ、メインの電源回路１４、サブの電圧回路１５に対しては、サブの電池パック１７の電圧検出データに関係なく、全系統（通信系の電源、非通信系の電源）の電源をオフする制御を行う（ステップＡ４）。
【００２６】
逆に、メインの電池パック１６の電圧検出データが、予め設定された第一の設定値（電圧値のデータ）よりも高い場合、サブの電池電圧管理手段１３２は、サブの電池パック１７の電圧検出データと、予め設定された第二の設定値（電圧値のデータ）とを比較する（ステップＡ５）。このとき、サブの電池パック１７の電圧検出データが、予め設定された第二の設定値（電圧値のデータ）よりも低い場合、電池状態判定手段１３３は、通信系制御部６及び非通信系の制御部７にその旨を通知し、サブの電池パック１７の電池容量が不足している旨を表示部１０に表示する（ステップＡ６）。また、サブの電池電圧管理手段１３２は、サブの電源回路１５に対しては、非通信系の電源をオフする制御を行う（ステップＡ７）。
【００２７】
なお、いずれの場合でも、オフにしない電源はオンのままとしておく。
【００２８】
従って、メインの電池パック１６、サブの電池パック１７の検出電圧の値と、通信系電源、非通信系電源のオン／オフとの関係は下記の表に示す通りである。
【００２９】
【表１】
0004032214.tif 000002
［第２実施形態］
次に、本発明の第２実施形態について図面を参照して詳細に説明する。
【００３０】
（１）構成の説明
図４は本発明の第２実施形態の携帯電話機の構成を示すブロック図である。携帯電話機１は、アンテナ２、無線送受信部３、ベースバンド処理部４、送話器／受話器５、通信系制御部６、非通信系の制御部７、非通信系アプリケーション８、データ入力部９、表示部１０、メモリ１１、スピーカ１２、電源監視制御手段１３、メインの電源回路１４、サブの電源回路１５、メインの電池パック１６、サブの電池パック１７、共通の電源回路１８を具備している。図中、符号４１で示すブロック内は通信系デバイスの電源系、符号４２で示すブロック内は非通信系デバイスの電源系、符号４３で示すブロック内は共通の電源系である。
【００３１】
第２実施形態における第１実施形態との相異点を説明すると、図４では、図１に示した第１実施形態のデータ入力部９、表示部１０、メモリ１１、スピーカ１２、電源監視制御手段１３を共通の電源系としている。共通の電源回路１８は、メインの電池パック１６と、サブの電池パック１７をダイオード１９、２０を介して共通化することにより、一方の電池電圧が高ければ、共通の電源系はオフしないようになっている。
【００３２】
（２）動作の説明
次に、本発明の第２実施形態の動作について図４〜図５を参照して詳細に説明する。
【００３３】
例えば、メインの電池パック１６またはサブの電池パック１７のどちらか一方の電池電圧が、予め設定されている第一の設定値（電圧値データ）または第二の設定値（電圧値のデータ）より高い場合において、即ち、共通の電源回路１８がオンしている状態において、電源監視制御手段１３により、メインの電池パック１６とサブの電池パック１７のそれぞれの電池電圧検出が行われると（ステップＢ１）、電源監視制御手段１３により、メインの電池パック１６、サブの電池パック１７のそれぞれの電池電圧のデータと、予め設定された第一の設定値（電圧値のデータ）、第二の設定値（電圧値のデータ）とが比較される（ステップＢ２）。このとき、メインの電池パック１６の電圧検出とサブの電池パック１７の電圧検出は、必ずしも同時に行われる必要は無い。
【００３４】
メインの電池パック１６の電圧検出データと、サブの電池パック１７の電圧検出データが共に、それぞれの第一の設定値（電圧値のデータ）、第二の設定値（電圧値のデータ）よりも低い場合は、電源監視制御手段１３は、通信系制御部６及び非通信系の制御部７にその旨を通知し、両方の電池パックの電池容量が不足している旨を表示部１０に表示する（ステップＢ３）。また、電源監視制御手段１３は、メインの電源回路１４、サブの電源回路１５、共通の電源回路１８に対しては、全系統（通信系の電源、非通信系の電源、共通の電源）の電源をオフする制御を行う（ステップＢ４）。
【００３５】
メインの電池パック１６の電池電圧が第一の設定値（電圧値のデータ）より低い場合（ステップＢ５でＹｅｓ）、電源監視制御手段１３は、通信系制御部６にその旨を通知し、電池容量が不足している旨を表示部１０に表示する（ステップＢ９）。また、電源監視制御手段１３は、メインの電池パック１６が接続されているメインの電源回路１４に対して、通信系の電源をオフする制御を行う（ステップＢ１０）。
【００３６】
サブの電池パック１７の電池電圧が第二の設定値（電圧値のデータ）より低い場合（ステップＢ６でＹｅｓ）、電源監視制御手段１３は、非通信系の制御部７にその旨を通知し、電池容量が不足している旨を表示部１０に表示する（ステップＢ７）。また、電源監視制御手段１３は、サブの電池パック１７が接続されているサブの電源回路１５に対して、非通信系の電源をオフする制御を行う（ステップＢ８）。
【００３７】
電源監視制御手段１３は、共通の電源により動作するので、メインの電池パック１６、サブの電池パック１７のどちらか片方だけでも、電池電圧を検出することができる。第１実施形態では、メインの電池パック１６の容量が不足すると、全電源がオフするが、第２実施形態では、メインの電池パック１６の容量が不足していても、サブの電池パック１７の容量があれば、通信系の制御で動作する電話機能が使用できなくても、非通信系の機能だけ使用することができる。
【００３８】
なお、いずれの場合でも、オフにしない電源はオンのままとしておく。
【００３９】
従って、メインの電池パック１６、サブの電池パック１７の検出電圧の値と、通信系電源、非通信系電源、共通電源のオン／オフとの関係は下記の表に示す通りである。
【００４０】
【表２】
0004032214.tif 000003
【００４１】
【発明の効果】
以上説明したように、本発明によれば、少なくとも二つの電池パックを設け、従来のように一つの電池パックから全ての機能に対して電源供給を行う方式でなく、携帯電話機が有する機能（通信機能、非通信機能）別に電池パックを割り当てることで、携帯電話機において、例えば、通信機能などの必要な機能だけしか使用しない場合は、一方の電池パック（通信系の電源系統に対応した電池パック）から通信系デバイスに給電し、他方の電池パック（非通信系の電源系統に対応した電池パック）は携帯電話機筺体から外しておくか又は接続した状態で、非通信系デバイスに対する電源をオフすることができる。
【００４２】
また、一方の電池パック（通信系の電源系統に対応した電池パック）の検出電圧が第一の設定値より低い場合は、通信系の電源系統をオフにする制御を行い、他方の電池パック（非通信系の電源系統に対応した電池パック）の検出電圧が第二の設定値より低い場合は、非通信系の電源系統をオフにする制御を行い、一方の電池パックの検出電圧が第一の設定値より高い場合、又は他方の電池パックの検出電圧が第二の設定値より高い場合は、共通の電源系統をオンのままにしておく制御を行うため、二つの電池パックの内、どちらかの電池パックの電池容量が不足した場合でも、携帯電話機の全ての機能を停止させることなく、一部の機能は動作させることができる。
【００４３】
また、携帯電話機にそれぞれの電池パックを装着したときに、通信系の電源系統、非通信系統の電源系統に流れる突入電流を、電池パックを一つだけ設けた場合と比較し、削減することができる。
【００４４】
また、携帯電話機の機能別に電池パックを設けているので、余分な機能に対しては電池を外すことができる。
【図面の簡単な説明】
【図１】本発明の第１実施形態の携帯電話機の構成を示すブロック図である。
【図２】本発明の第１実施形態の携帯電話機の電源監視制御手段を中心とした構成を示すブロック図である。
【図３】本発明の第１実施形態の携帯電話機の動作を示すフローチャートである。
【図４】本発明の第２実施形態の携帯電話機の構成を示すブロック図である。
【図５】本発明の第２実施形態の携帯電話機の動作を示すフローチャートである。
【図６】従来例の携帯電話機の構成を示すブロック図である。
【符号の説明】
１３  電源監視制御手段
１４  メインの電源回路
１５  サブの電源回路
１６  メインの電池パック
１７  サブの電池パック
１８  共通の電源回路
２１、４１  通信系デバイスの電源系
２２、４２  非通信系デバイスの電源系
４３  共通の電源系
【図１】
0004032214.tif 000004
【図２】
0004032214.tif 000005
【図３】
0004032214.tif 000006
【図４】
0004032214.tif 000007
【図５】
0004032214.tif 000008
【図６】
0004032214.tif 000009